(57)【特許請求の範囲】
【請求項１】
水下側、水上側の太陽電池モジュールが載置可能な支持部を有するレール材が、所定間隔で配設され、該レール材間に太陽電池モジュールを敷設する太陽電池モジュールの設置構造において、
前記レール材の水上側に敷設される太陽電池モジュールは、水下側端部がレール材上に載置され、その表面がレール材に添わせた取付部材にて保持され、
前記取付部材には、取付部が設けられ、前記レール材の長手方向に対して一定間隔で配置されると共に、弾性を有する保持具を取り付けて介在させることで前記取付部材の取付部が前記レール材の取付受部に前記保持具による厚み方向の弾性反発力にて下方から係合して太陽電池モジュールの水下側端部が、レール材と取付部材、及び保持具により、一体化されていることを特徴とする太陽電池モジュールの設置構造。
【請求項２】
水下側、水上側の太陽電池モジュールが載置可能な支持部を有するレール材が、所定間隔で配設され、該レール材間に太陽電池モジュールを敷設する請求項１に記載の太陽電池モジュールの設置方法において、
前記レール材を所定間隔で配設する第１の工程と、
配設した前記レール材間に、前記太陽電池モジュールを敷設する第２の工程と、
配設した太陽電池モジュールの水下側端部に前記取付部材を添わせ、弾性を有する保持具を介在させることにより、前記取付部材の取付部が前記レール材の取付受部に前記保持具による厚み方向の弾性反発力にて下方から係合して太陽電池モジュールの水下側端部が、レール材と取付部材、及び保持具により、一体化させる第３の工程と、
を含むことを特徴とする太陽電池モジュールの設置方法。
【発明の詳細な説明】
【技術分野】
【０００１】
本発明は、特殊な部材の使用によるコスト上昇を招くことなく、太陽電池モジュールの水下側端部を確実に且つ容易に一体状に固定することができる太陽電池モジュールの設置構造、及びその設置方法に関する。
【背景技術】
【０００２】
太陽電池モジュールを屋根に設置するに際し、水下側に敷設した太陽電池モジュールの水上側フレームと、水上側に敷設した水下側フレームとを直接的に接続するか、或いは連結部材を介して接続する構造（例えば特許文献１，２など）が各種提案されている。
前記特許文献１は、水上側に敷設される太陽電池パネルの水下側フレーム３２に設けた爪状部材３４を水下側に敷設される太陽電池パネルの水上側フレーム３３上に固定した係止部材３７の間隙に押し込んで固定する構造である。
前記特許文献２は、太陽電池モジュール１０の水下側フレーム（第１枠体１１）の上面に設けた固定溝１１ｂと、水上側フレーム（第２枠体１２）の下側に設けた係合部１２ｂとを押え金具２８により押えて固定する構造である。
【０００３】
また、太陽電池モジュールにフレームを用いない構造（例えば特許文献３，４など）も各種提案されている。
前記特許文献３には、複数の太陽電池パネル５、６の端面部同士を、ベース２と中間ベース３と上部レール４とで構成される支持レール１にて結合し、カバー１１にて覆う構造が開示されている。なお、このカバー１１は、太陽電池パネルの水下側端部を完全に覆う長さに形成されている。
前記特許文献４には、太陽電池モジュール２の一方の端部に枠体１０を、他方の端部に載置部２０を備える枠体１を配し、前記載置部２０に固定カバー３を押え付けて固定する構造が開示されている。なお、この固定カバ３は、枠体２０と略同一長さであって、太陽電池モジュール２の水下側端部を完全に覆う長さに形成されている。
【先行技術文献】
【特許文献】
【０００４】
【特許文献１】特開２００８−２８５８２７号公報
【特許文献２】特開２００７−２３１５１４号公報
【特許文献３】特開２００６−１３２１１１号公報
【特許文献４】特開２００６−１２０９５９号公報
【発明の概要】
【発明が解決しようとする課題】
【０００５】
しかしながら、前記特許文献１の構造では、水下側フレーム（３２）や水上側フレーム（３３）が、前記特許文献２の構造では、水下側フレーム（１１）や水上側フレーム（１２）が、複雑な形状構成を有するものであるため、これらのフレーム材が特殊になり、コストの上昇を避けられないものであった。
【０００６】
また、前記特許文献３の構造では、支持フレーム１が、前記特許文献４の構造では、枠体１０と枠体１とが、物理的には固定されておらず、水下側の端部に太陽電池モジュールの水下側端部を覆うカバー１１，３を固定することによって一体化されるものであり、モジュール上を流下する雨水がせき止められ、雨水に含まれる土や埃等が堆積し易いものであった。その結果、モジュール表面に汚れが付着し性能低下や、フレーム部の止水材が劣化し易くなっていた。
【０００７】
そこで、本発明は、特殊な部材（フレーム）の使用によるコスト上昇を招くことなく、太陽電池モジュールの水下側端部を確実に且つ容易に一体状に固定することができる太陽電池モジュールの設置構造に関する。
【課題を解決するための手段】
【０００８】
本発明は、上記に鑑み提案されたもので、水下側、水上側の太陽電池モジュールが載置可能な支持部を有するレール材が、所定間隔で配設され、該レール材間に太陽電池モジュールを敷設する太陽電池モジュールの設置構造において、前記レール材の水上側に敷設される太陽電池モジュールは、水下側端部の裏面がレール材上に載置され、その表面がレール材に添わせた取付部材にて保持され、前記取付部材には、取付部が設けられ、前記レール材の長手方向に対して一定間隔で配置されると共に、弾性を有する保持具を介在させることで前記取付部材の取付部が前記レール材の取付受部に前記保持具による厚み方向の弾性反発力にて下方から係合することにより太陽電池モジュールの水下側端部が、レール材と取付部材、及び保持具により、一体化されていることを特徴とする太陽電池モジュールの設置構造に関するものである。
なお、「添わせた」とは、保持具の介在によって取り付けられる部分であり、保持具の配設以前には、実質的には単に添わせた状態でもよいことを示す。
【００１０】
さらに、本発明は、水下側、水上側の太陽電池モジュールが載置可能な支持部を有するレール材が、所定間隔で配設され、該レール材間に太陽電池モジュールを敷設する太陽電池モジュールの設置方法において、前記レール材を所定間隔で配設する第１の工程と、配設した前記レール材間に、前記太陽電池モジュールを敷設する第２の工程と、配設した太陽電池モジュールの水下側端部に前記取付部材を添わせ、弾性を有する保持具を介在させることにより、前記取付部材の取付部が前記レール材の取付受部に前記保持具による厚み方向の弾性反発力にて下方から係合して太陽電池モジュールの水下側端部が、レール材と取付部材、及び保持具により、一体化される第３の工程と、を含むことを特徴とする太陽電池モジュールの設置方法をも提案するものである。
【発明の効果】
【００１１】
本発明の太陽電池モジュールの設置構造は、太陽電池モジュールの水下側端部が、レール材と取付部材、及び保持具により、一体的に固定されるものであり、使用するレール材も取付部材も保持具も極めて簡易な部材であり、前記従来（特許文献１，２）のように特殊なフレーム材を必要とすることもないため、コストを抑えることができる。しかも、前記従来（特許文献３，４）のようにカバー材を用いないので、モジュール上を流下する雨水がせき止められることもないし、雨水に含まれる土や埃等が堆積することもなく、負圧作用時の強度向上と流れ方向のズレ止めを補強することができる。そのため、モジュール表面を美麗に維持することができ、発電効率等の性能低下を招くこともない。また、太陽電池モジュールを取付部材でレール材に一体化させているため、取付部材を着脱することで、太陽電池モジュールの交換を容易に行うことができる。
【００１２】
また、取付部材には、取付部が設けられ、弾性を有する保持具の取り付けによって取付部がレール材の取付受部に係合されるので、弾性に抗して保持具を取り付けることにより、保持具の弾性反発力にて取付部が取付受部に下方から係合することによって取付部材とレール材との一体化が果たされるものとなる。
【００１３】
本発明の太陽電池モジュールの設置方法は、レール材を配設する第１の工程も、太陽電池モジュールを配設する第２の工程も、取付部材を配設して弾性を有する保持具を介在させる第３の工程も、それぞれ表面側から極めて容易に実施することができる。
【図面の簡単な説明】
【００１４】
【図１】（ａ）本発明の太陽電池モジュールの設置構造の一実施例（第１実施例）の要部を示す側断面図、（ｂ）取付部材や保持具を配設していない一般部を示す側断面図である。
【図２】第１実施例の太陽電池モジュールの設置構造を示すために、意図的に構成部材を欠載して示した斜視図である。
【図３】（ａ）本発明の太陽電池モジュールの設置構造の他の一実施例（第２実施例）の要部を示す側断面図、（ｂ）取付部材や保持具を配設していない一般部を示す側断面図である。
【図４】（ａ）本発明の太陽電池モジュールの設置構造の他の一実施例（第３実施例）の要部を示す側断面図、（ｂ）取付部材や保持具を配設していない一般部を示す側断面図である。
【図５】（ａ）本発明の太陽電池モジュールの設置構造の他の一実施例（第４実施例）において保持具を取り付ける状態を示す側断面図、（ｂ）保持具を取付部材に取り付ける状態の一例を示す斜視図、（ｃ）この第４実施例の要部を示す側断面図、（ｄ）予め保持具を取付部材に取り付けて配設する状態を示す正面図である。
【図６】（ａ）本発明の太陽電池モジュールの設置構造の他の一実施例（第５実施例）の保持具を取り付ける以前の状態を示す側断面図、（ｂ）保持具を取り付けた要部を示す側断面図である。
【図７】（ａ）本発明の太陽電池モジュールの設置構造の他の一実施例（第６実施例）の取付部材を取り付ける以前の状態を示す側断面図、（ｂ）取付部材を取り付けた要部を示す側断面図である。
【図８】（ａ）本発明の太陽電池モジュールの設置構造の他の一実施例（第７実施例）の保持具を取り付ける途中の状態を示す側断面図、（ｂ）保持具を取り付けた要部を示す側断面図である。
【発明を実施するための形態】
【００１５】
本発明の太陽電池モジュールの設置構造は、水下側、水上側の太陽電池モジュールが載置可能な支持部を有するレール材が、流れ方向に所定間隔で配設され、該レール材間に太陽電池モジュールを敷設する構造において、前記レール材の水上側に敷設される太陽電池モジュールは、水下側端部の裏面がレール材上に載置され、その表面がレール材に添わせた取付部材にて保持され、前記取付部材は、レール材の長手方向に対して一定間隔で配置されると共に、保持具を介在させることでレール材と取付部材が一体化されていることを特徴とする。
【００１６】
前記本発明に用いる太陽電池モジュールは、シリコン系、化合物系、有機系等の太陽電池をパネル化し、モジュールとして周縁（小口）の止水、防水処理を施したものであればよく、モジュールの剛性を高めるためのフレーム等の有無を問うものではないが、太陽電池モジュール表面を流下する雨水をせき止めないように少なくとも流れ方向に交わる方向にはフレーム等の突起がないものが好ましい。また、発電量を増大させるために両面受光（発電）型の太陽電池を用いてもよく、この場合、太陽電池モジュールの下方に反射材を介在させればよい。
そして、その流れ方向の端縁のうち、水下側端部の裏面は、レール材の水上側の支持部に載置され、水下側端部の表面は、レール材に添わせた取付部材にて保持され、上下から挟着状に一体化（固定）される。
【００１７】
前記本発明に用いるレール材は、前記太陽電池モジュールの流れ方向の端縁を支持する水上側支持部、水下側支持部を有し、後述する取付部材を添わせる取付受部を有するが、その具体的構成、並びにそれ以外の構成は特に限定するものではなく、どのような形状又は構成であってもよく、単一部材にて構成されるものでも複数部材にて構成されるものでもよい。
例えば前記水上側支持部、水下側支持部に関し、後述する図示実施例では、太陽電池モジュールが流れ方向に隣接する構成としたので、水上側支持部と水下側支持部とを、高さレベルを太陽電池モジュールの厚さに相当する段差状に形成したが、特に限定するものではない。
【００１８】
このレール材は、後述する図示実施例のように長さ方向に同一断面を有する長尺材とすることが望ましい。この場合、使用する太陽電池モジュールの桁行き方向の長さ寸法に応じて適宜に成形（切断）することができ、どのような寸法の太陽電池モジュールも極めて容易に対応することができる。
また、このレール材には、前述の支持部の他に、後述する図示実施例のように水下側へ突出する支持片を有することが望ましい。この構成のレール材では、該支持片上に太陽電池モジュールの水下側縁を載置することができ、太陽電池モジュールの表面を伝う雨水等が、確実に水下側に隣接する太陽電池モジュール上に導かれて排水される。
【００１９】
前記本発明に用いる取付部材は、前記レール材の長手方向に対して一定間隔で配置されるものであって、太陽電池モジュールの水下側端部の表面を保持する保持部を有し、前記レール材の取付受部に嵌合状又は係合状又は重合状に添わせる（取り付ける）取付部を有するものであり、単一部材にて構成されるものでも複数部材にて構成されるものでもよい。なお、ここでの保持強度、並びに取付強度は、全く問題としないので、保持部や取付部、さらに前記レール材の取付受部は、高精度の寸法形状を有する必要はない。
【００２０】
前記本発明に用いる保持具は、前記取付部材（の保持部や取付部）と太陽電池モジュールとの間に介在させるものであり、この保持具の介在により太陽電池モジュールと取付部材が一体化される。この保持具は、一箇所に設けるものでも、二箇所以上に設けるものでもよい。
また、この保持具は、弾性（ゴム弾性やバネ弾性）を有する定形又は不定形の材料（弾性素材）からなるものでも良いし、或いは弾性素材ではないが、所定形状のピース材に成形し、この保持具、又は取り付ける取付部材の反発力を利用して弾性的に嵌合（係合）させるものでもよい。なお、前者と後者との相違は、弾性の強弱といってもよく、前者の場合、保持具の弾性に抗してこの保持具を取り付ければよく、強い弾性により保持具の位置規制が果たされる。後者の場合には、保持具又は取付部材の嵌合（係合）部分に反発力が作用する寸法形状又は曲げ形状に成形して弾性的に嵌合（係合）すればよく、比較的弱い弾性により安定に嵌合（係合）されるものとなる。さらに、この保持具の取り付けは、取付部材の配設の後に行うようにしてもよく、同時に取り付けるものでもよく、取付部材に予め取り付けておくようにしてもよい。
【００２１】
前記レール材の上端には、後述する図示実施例に示すように捨板を、流れ方向に配して太陽電池モジュールの左右の側端を支持するようにしてもよい。
この捨板としては、後述する図示実施例のように長さ方向に同一断面を有する定尺材とすることが望ましい。この場合、使用する太陽電池モジュールの流れ方向の長さ寸法に応じて適宜に成形（切断）することができ、どのような寸法の太陽電池モジュールも極めて容易に対応することができる。
また、この捨板には、後述する図示実施例のように略中央に隆状部を、その左右に水返し部を、それぞれ長さ方向に沿うように有することが望ましい。この構成の捨板では、太陽電池モジュールを配設した後に、その配設間隔を覆うように継手カバーを取り付ける際に、固定具を打ち付ける箇所として隆状部を用いることができる。また、継手カバーの裏面側に雨水等が浸入しても、左右に形成された水返し部にて、確実に水下側へ雨水等を流下させることができる。
【００２２】
なお、この捨板を用いた場合には、前記レール材の水上側支持部、水下側支持部は、直接的に前記太陽電池モジュールの流れ方向の端縁を支持するものではなく、この捨板を介して支持するものとなる。
【００２３】
また、太陽電池モジュールの左右の配設間隔には、継手カバーを覆うように配設してもよい。
この継手カバーは、捨板上に配設した左右の太陽電池モジュールの配設間隔を覆うものであって、後述する図示実施例のようにビス等により取り付けられ、平板状の水下側を下方へ折り曲げた形状が望ましい。この場合、継手カバーを水下側からスライドさせて左右の太陽電池モジュールの配設間隔に配設することができる。
なお、太陽電池モジュールの側縁は、ビス等により直接固定するものであってもよく、この継ぎ手カバーによって挟着されるものであってもよい。
【００２４】
これらの部材から構成される本発明の太陽電池モジュールの設置構造は、以下の第１〜第３の工程にて施工される。
【００２５】
まず、第１の工程では、流れ方向に所定間隔でレール材を配設する。このレール材は、下地上に直接的に配設してもよいが、後述する図示実施例のように流れ方向に配した排水部材上に、その端縁が臨むように略直交状に配設してもよい。この場合、仮に雨水等が捨板の裏面側へ回り込むことがあったとしても、回り込もうとする雨水を排水部材の排水部に導いて水下側へ流下させることができる。
【００２６】
次に、第２の工程では、配設したレール材間に、太陽電池モジュールを敷設する。
その結果、上段側のレール材の水下側支持部、下段側のレール材の水上側支持部に、太陽電池モジュールの水上側端部、水下側端部を載置するように支持させる。
【００２７】
続いて第３の工程では、配設した太陽電池モジュールの水下側端部に前記取付部材を添わせ、前記固定具を介在させることにより、レール材と取付部材とを一体化させる。
その結果、太陽電池モジュールの水下側端部が、レール材と取付部材、及び保持具により、一体的に固定されるものとなる。
【００２８】
なお、前記構成の捨板を用いる場合には、前記第１の工程の後に以下の工程を実施すればよい。
取り付けたレール材の水下側支持部に捨板の水上側の端縁を受支させると共に水下側に隣接するレール材の水上側支持部に捨板の水下側の端縁を受支させるように取り付ける。このレール材に、前述のように水下側へ突出する支持片が設けられている場合には、捨板を配設する際に、該支持片と水下側支持部との間（空間）に捨板の水上側の端縁を挿入するように配設すればよく、少なくとも捨板の水上側の側縁が浮き上がって外れることはない。
【００２９】
なお、前記構成の継手カバーを用いた場合には、前記第３の工程の後に以下の工程を実施すればよい。
敷設した太陽電池モジュールの左右の配設間隔に継手カバーを覆うように配設する。この継手カバーが、前述のように平板状の水下側を下方へ折り曲げた形状である場合には、水下側からスライドさせることにより、容易に左右に太陽電池モジュールの配設間隔に配設することができる。また、前述のようにレール材に水下側へ突出する支持片が設けられている場合には、この継手カバーの水上側の端縁は、支持片と捨板との間（空間）に挿入状に配設されるので、少なくとも継手カバーの水上側の側縁が浮き上がって外れることはない。
【００３０】
このように施工される本発明の太陽電池モジュールの設置構造は、太陽電池モジュールの水下側端部が、レール材と取付部材、及び保持具により、一体的に固定されるものであり、使用するレール材も取付部材も保持具も極めて簡易な部材であり、従来のように特殊なフレーム材を必要とすることもないため、コストを抑えることができる。しかも、従来のようにカバー材を用いないので、モジュール上を流下する雨水がせき止められることもないし、雨水に含まれる土や埃等が堆積することもなく、負圧作用時の強度向上と流れ方向のズレ止めを補強することができる。そのため、モジュール表面を美麗に維持することができ、発電効率等の性能低下を招くこともない。また、太陽電池モジュールを取付部材でレール材に一体化させているため、取付部材を着脱することで、太陽電池モジュールの交換を容易に行うことができる。
【実施例１】
【００３１】
図１及び図２に示す太陽電池モジュール１の設置構造の第１実施例は、水下側、水上側の太陽電池モジュール１，１が載置可能な支持部４１，４２を有するレール材４が、所定間隔で配設され、該レール材４，４間に太陽電池モジュール１を敷設する構成であり、太陽電池モジュール１は、水下側端部がレール材４上に載置され、その表面がレール材４に添わせた取付部材６にて保持され、保持具７を介在させることでレール材４と取付部材６が一体化されている構成である。
【００３２】
前記第１実施例に用いる太陽電池モジュール１は、図２に示すように略矩形状の太陽電池１０を多面付けにて形成したものであり、図示しないが、その端縁（小口）に止水、防水処理を施され、原則的にフレーム材を用いない構成である。
【００３３】
前記レール材４は、前記太陽電池モジュール１の流れ方向の端縁を支持する水上側支持部４１、水下側支持部４２を有し、後述する取付部材６を添わせる取付受部４９を有する横桟に相当する構成である。
【００３４】
図示実施例の水上側支持部４１は、水上側を向く横片状であり、水下側支持部４２は、水下側に設けられた上方が開放する溝内に弾性材４６ａが挿着された構成である。
また、この第１実施例におけるレール材４は、水下側へ突出する支持片４３を有する構成であり、長さ方向に同一断面を有する長尺材とした。さらに、その水上側及び水下側に下方へ延在する脚部４４，４４、該脚部４４の下端に下地面８に接地する接地部４５，４５、及び長さ方向に溝状部４７，４８を上下段に有する構成とした。
なお、前記支持片４３の裏面側には、下方が開放する溝内に弾性材４６ｂが装着され、前記太陽電池モジュール１の水上側端縁を前記水下側支持部４２に受支させた際に、上方に配された弾性材４６ｂ及び下方に配された弾性材４６ａ間にそれぞれ接触するため、上下から挟み込まれ、弾性作用にて挟着状に取り付けられる。
また、前記支持片４３には、第２レール材４Ｂが掛止状に取り付けられ、該第２レール材４Ｂの水下端に、下方が開放する溝状の取付受部４９が形成されている。
【００３５】
前記取付部材６は、前記レール材４の長手方向に対して一定間隔で配置されるものであって、太陽電池モジュール１の水下側端部の表面を保持する保持部６１を有し、前記レール材４の取付受部４９に添わせる、即ち取り付けることが可能な取付部６２を有するものである。
【００３６】
図示実施例の保持部６１は、太陽電池モジュール１の水下側端部の表面に添わせる添接片であり、略コ字状に形成される取付部材６の上側横片である。また、取付部６２は、前記レール材４（４Ｂ）の取付受部４９に係合可能な上向きの係止片状であって、略コ字状に形成される取付部材６の下側横片の先端に形成されている。
【００３７】
前記保持具７は、前記取付部材６と前記太陽電池モジュール１との間に介在させることで、太陽電池モジュール１と取付部材６とが一体化されるものである。
図示実施例の保持具７は、弾性を有する定形（略楔状の挿入部を有する形状）材であって、この保持具７を前記取付部材６の保持部６１の裏面側に押し込むように取り付けることにより、取付部材６に持ち上げられる力（弾性力）が作用し、係止片である取付部６２がレール材４の取付受部４９に下方から係合し、太陽電池モジュールの水下側端部が、レール材と取付部材、及び保持具により、一体的に固定される。
【００３８】
また、図示実施例では、前記レール材４の上端に、捨板３を、流れ方向に配して太陽電池モジュール１，１の左右の側端を支持するようにした。
この捨板３は、略中央に隆状部３１を、その左右に複数条の水返し部３２を、それぞれ長さ方向に沿うように有する構成であり、長さ方向に同一断面を有する定尺材とした。
【００３９】
また、図示実施例では、太陽電池モジュール１，１の左右の配設間隔に、継手カバー５を覆うように配設した。
この継手カバー５は、平板状の水下側を下方へ折り曲げた形状であり、ビス等の固定具５ｂを表面側から打ち込んで前記捨板３の隆状部３１の頂部に固定される。
【００４０】
以下、この第１実施例の太陽電池モジュール１の設置構造の施工手順を説明する。
【００４１】
まず、第１の工程に先立ち、流れ方向に沿うように排水部材２を配設した。この排水部材２は、略平坦状の底面２１の左右の側縁を傾斜状に立ち上げた側面２２，２２の上端を略水平状に内側へ折曲して受部２３，２３とした構成の連続材である。この排水部材２の底面２１は、排水部の底面であり、以下、排水部とする。
【００４２】
そして、第１の工程では、配設した排水部材２上に、前記構成のレール材４の端縁が臨むように略直交状に配設する。なお、このレール材４は、配設以前に予めその脚部４４，４４を部分的に削除し、脚部４４，４４の上方部分が排水部材２の排水部２１に臨むように配設する。
【００４３】
次に、前記第１の工程で取り付けたレール材４の水下側支持部４２に捨板３の水上側の端縁を受支させると共に、水下側に隣接するレール材４の水上側支持部４１に捨板３の水下側の端縁を受支させるように取り付ける。
この第１実施例のレール材４には、前述のように水下側へ突出する支持片４３が設けられているので、捨板３の水上側の端縁を、支持片４３と水下側支持部４２との間（空間）に挿入状に取り付ければよく、また捨板３の水下側の端縁を、水上側支持部４１の上面と支持片４３の上面に架け渡すように取り付ける。なお、前述のようにこのレール材４は、本体４と第２レール材４Ｂにて構成されているが、この時点で第２レール材４Ｂは、支持片４３の表面に遊嵌状に添わせた状態とする。
【００４４】
続いて第２の工程では、前記第１の工程で取り付けたレール材４，４間に、太陽電池モジュール１を敷設し、上段側のレール材４の水下側支持部４２、下段側のレール材４の水上側支持部４１に、太陽電池モジュール１の水上側端部、水下側端部を載置するように支持させる。その際、前述のように捨板３を配設しているので、太陽電池モジュール１の長さ方向の端縁が支持されるように配設する。
この図示実施例では、前述のようにレール材４には、弾性材４６ａ，４６ｂが取り付け得られ、該弾性材４６ａ，４６ｂ間に太陽電池モジュール１の水上側端縁を取り付けるので、該水上側端縁は、上下から挟み込まれ、弾性作用にて挟着状に取り付けられるものとなる。
なお、前述のようにレール材４の支持片４３の表面には、第２レール材４Ｂを添わせているが、太陽電池モジュール１の配設に際し、この第２レール材４Ｂ上にクッション材４ｃを介在させて太陽電池モジュール１を載置状に配設した。
【００４５】
さらに、第３の工程では、配設した太陽電池モジュール１の水下側端部に前記構成の取付部材６を遊嵌状に添わせ、前記略楔状の挿入部を有する弾性材である保持具７を、表面側から、添接片である保持部６１の裏面側に挿入して介在させてレール材４と取付部材６とを一体化させる。この保持具７の取り付けにより、保持部６１を上方へ持ち（引き）上げる作用が働き、保持部材６の下端に設けられた係止片状の取付部６２が、レール材４（第２レール材４Ｂ）の取付受部４９に下方から係合する。
その結果、太陽電池モジュール１の水下側端部が、レール材４と取付部材６、及び保持具７により、一体的に固定されるものとなる。
【００４６】
その後、図示実施例では、前記第３の工程で取り付けた太陽電池モジュール１，１の左右の配設間隔に継手カバー５を覆うように配設した。この第１実施例では、捨板３に、前述のように略中央に隆状部３１が、その左右に水返し部３２が、それぞれ長さ方向に沿うように設けられているので、継手カバー５を配設してビス等の固定具５ｂを隆状部３１に打ち付けて固定することができる。
【００４７】
このような手順にて施工される本発明の太陽電池モジュール１の設置構造は、太陽電池モジュール１の水下側端部が、レール材４と取付部材６、及び保持具７により、一体的に固定されるものであり、使用するレール材４も取付部材６も保持具７も極めて簡易な部材であり、従来のように特殊なフレーム材を必要とすることもないため、コストを抑えることができる。しかも、従来のようにカバー材を用いないので、モジュール１上を流下する雨水がせき止められることもないし、雨水に含まれる土や埃等が堆積することもなく、負圧作用時の強度向上と流れ方向のズレ止めを補強することができる。そのため、モジュール表面を美麗に維持することができ、発電効率等の性能低下を招くこともない。また、太陽電池モジュール１を取付部材６でレール材４に一体化させているため、取付部材６を着脱することで、太陽電池モジュール１の交換を容易に行うことができる。
【００４８】
また、この第１実施例では、第１の工程に先立って流れ方向に排水部材２を取り付け、その後にレール材４の端縁が臨むように略直交状に配設したので、仮に雨水等が捨板３の裏面側へ回り込むことがあったとしても、排水部材２の排水部２１に導いて水下側へ流下させることができる。
さらに、前記レール材４及び前記捨板３は、前述のようにそれぞれ長さ方向に同一断面を有する構成としたので、使用する太陽電池モジュール１の流れ方向の長さ寸法に応じてレール材４の長さを適宜に成形（切断）することができ、使用する太陽電池モジュールの桁行き方向の長さ寸法に応じて捨板３を長さを適宜に成形（切断）することができ、どのような寸法の太陽電池モジュールも極めて容易に対応することができる。
しかも、図示実施例のレール材４には、上下段に溝状部４７，４８を設けたので、仮に太陽電池モジュール１の裏面側に雨水が回り込むことがあったとしてもレール材４の溝状部４７，４８から排水部材２の排水部２１へ導いて水下側へ流下させることができる。
【００４９】
また、この第１実施例では、レール材４が、水下側へ突出する支持片４３を有し、この支持片４３上に太陽電池モジュール１の水下側縁（１１ｃ）を載置しているので、太陽電池モジュール１の表面を伝う雨水等が、確実に水下側に隣接する太陽電池モジュール１上に導かれて排水される。
さらに、前記第２の工程にて捨板３を取り付ける作業において、その水上側の端縁を、支持片４３と水下側支持部４２との間（空間）に挿入状に取り付ければよく、また水下側の端縁を、水上側支持部４１の上面と支持片４３の上面に架け渡すように取り付ければよいので、施工性にも優れており、更には少なくとも捨板３の水上側の側縁の浮き上がりが、支持片４３にて防止される。
また、この第１実施例では、捨板３の略中央に隆状部３１を、その左右に水返し部３２を、それぞれ長さ方向に沿うように設けたので、継手カバー５を固定する固定具５ｂを隆状部３１に打ち付けることができ、また継手カバー５の裏面側に雨水等が浸入しても水返し部３２にて確実に水下側へ雨水等を流下させることができる。
【００５０】
図３の第２実施例及び図４の第３実施例には、保持具７II，７III自体は弾性素材ではないが、保持具７II，７IIIと取付部材６II，６IIIとを弾性的に嵌合させて取り付ける態様を示す。
【００５１】
図３に示す第２実施例は、第２レール材４ＢIIに設ける取付受部４９iiが、上下に開放する二つの係止溝４９１，４９２を有し、取付部材６IIの取付部６２iiが、前記係止溝４９１に係止する係止片６２１と、上方が開放する係止溝６２２を有し、保持具７IIが、前記係止溝４９２，６２２に係止する係止片７１，７２を有する以外は、前記第１実施例と全く同様であるから、図面に同一符号を付して説明を省略する。
これらの部材の取付については、第２レール材４ＢIIの取付受部４９iiに対し、取付部材６IIを側方からスライドさせるように臨ませ、保持部６１をクッション材６３を介して太陽電池モジュール１の水下側端部の表面に保持させると共に、係止片６２１を係止溝４９１に係止させる。この状態で上下に背中合わせに形成される係止溝４９２，６２２に対し、側方から保持具７IIを臨ませ、その係止片７１，７２を係止溝４９２，６２２に嵌合状に係止させる。
なお、予め係止片７１，７２の間隔を僅かに小さく形成しておき、側方から臨ませる際に弾性に抗して拡開させて取り付けるようにすると、単なる嵌合ではなく、弾性的に嵌合するものとなる。
この第２実施例における保持具７IIは、前述のように弾性素材ではないが、弾性的に嵌合させて取り付けるようにしてもよく、その場合、前記第１実施例と全く同様の効果を奏するものである。
【００５２】
図４に示す第３実施例は、第２レール材４ＢIIIに設ける取付受部４９iiiが、上方に開放する係合溝４９３と、起立片の上端に設けた楔状の係止部４９４とを有し、取付部材６IIIの取付部６２iiiが、前記係合溝４９３に係合する係合片６２３と、略水平状の横片６２４とを有し、保持具７IIIが、前記係止部４９４と相互に係止する係止受部７３を有する以外は、前記第１，２実施例と全く同様であるから、図面に同一符号を付して説明を省略する。
これらの部材の取付については、第２レール材４ＢIIIの取付受部４９iiiに対し、取付部材６IIIを側方からスライドさせるように臨ませ、保持部６１をクッション材６３を介して太陽電池モジュール１の水下側端部の表面に保持させると共に、係合片６２３を係合溝４９３に係合させる。この状態で第２レール材４ＢIIIの係止部４９４の上方には、取り付けた取付部材６IIIの横片６２４との間に僅かな隙間が形成される。そして、この隙間に対し、側方から保持具７IIIを臨ませ、係止部４９４と係止受部７３とを相互に係止する。
この第３施例における保持具７IIIは、弾性的に、或いは弾性係合状に取り付けるということもできるが、所謂くさび（楔）の役割を果たすものである。
【００５３】
図５〜図８の第４〜第７実施例には、保持具７IV〜７VIIにより、取付部材６の保持部６１を上方へ持ち（引き）上げる作用が働く点では、前記第１実施例と全く同様であり、保持具７IV〜７VII以外の部材については、前記第１実施例と全く同様であるから、図面に同一符号を付して説明を省略する。
【００５４】
図５に示す第４実施例における保持具７IVは、図５（ｂ）の上段に示すように横長の平板部７４の左右端に段差を介して外方へ延在する固定部７５，７５が設けられた構成であり、該固定部７５の裏面には、基材が弾性体からなる両面テープのような弾性両面接着材７６が貼着され、左右の段差の裏面側には、楔状の係合保持部７７，７７が設けられている。この係合保持部７７，７７の役割については、図５（ｄ）に示されるように取付部材６の保持部６１の側縁に係合して保持することができる。
この保持具７IVの取付については、図５（ａ）に示すように取付部材６を配設した状態で上方から被せるように保持具７IVを取り付けるようにしてもよいし、或いは図５（ｄ）に示すように予め取付部材６の保持部６１の表面側に、保持具７IVの平板部７４を重合状に添わせて前記係合保持部７７，７７にて左右から保持し、この状態で取付部材６を、図５（ｃ）に示すようにレール材４や太陽電池モジュール１の水下側端部に取り付けるようにしてもよい。前者の場合には、保持具７IVの平板部７４を上方から押さえ付けると、取付部材６の保持部６１の左右の側縁が、係合保持部７７，７７にカチッと嵌合（一体化）する。そして、前者の場合も後者の場合も、弾性両面接着材７６の弾性反発力により、取付部材６（保持部６１）に上方へ持ち（引き）上げる作用が働くため、取付部材６の下端に形成された係止片状の取付部６２が、レール材４（第２レール材４Ｂ）の取付受部４９に下方から係合する。
【００５５】
図６に示す第５実施例における保持具７Ｖは、上から順に上方膨出部、括れ部、下方膨出部が形成された構成であり、例えば取付部材６の保持部６１の孔を形成し、該孔に括れ部が位置するように孔の上方から下方膨出部を上方から押し込むことにより、図示する配設構造が得られる。
この配設構造において、下方膨出部の弾性反発力により、取付部材６（保持部６１）に上方へ持ち（引き）上げる作用が働くため、取付部材６の下端に形成された係止片状の取付部６２が、レール材４（第２レール材４Ｂ）の取付受部４９に下方から係合する。
【００５６】
図７に示す第６実施例における保持具７VIは、上下方向にバネ弾性が作用するように複数箇所に折曲加工を行って形成された構成であって、図７（ａ）に示すように太陽電池モジュール１の水下側端部を包むように保持具７VIを配設した後、さらにその外側へ取付部材６を配設することにより、図示する配設構造が得られる。
この配設構造において、バネ材である保持具７VIの弾性反発力により、取付部材６（保持部６１）に上方へ持ち（引き）上げる作用が働くため、取付部材６の下端に形成された係止片状の取付部６２が、レール材４（第２レール材４Ｂ）の取付受部４９に下方から係合する。
【００５７】
図８に示す第７実施例における保持具７VIIは、裏面側に均一厚みの弾性材７ｂを添設した断面ヘアピン状の金属板材から形成される構成であり、図８（ａ）に示すように太陽電池モジュール１の水下側端部に配設した取付部材６の保持部６１の裏面側に、保持具７VIIを挿入し、取付部材６の縦片部に形成した図示しないスリットから先端を突き出し、折り返し状の端部が保持部６１の裏面に位置した状態で先端を縦方向に折曲することにより、図示する配設構造が得られる。
この配設構造において、保持具７VIIの折り返し状端部の弾性反発力により、取付部材６（保持部６１）に上方へ持ち（引き）上げる作用が働くため、取付部材６の下端に形成された係止片状の取付部６２が、レール材４（第２レール材４Ｂ）の取付受部４９に下方から係合する。
【符号の説明】
【００５８】
１  太陽電池モジュール
１０  太陽電池
２  排水部材
２１  排水部（底面）
３  捨板
３１  隆起部
３２  水返し部
４  レール材
４Ｂ，４ＢII，４ＢIII  第２レール材
４１  水上側支持部
４２  水下側支持部
４３  支持片
４４  脚部
４５  接地部
４６ａ，４６ｂ  弾性材
４９，４９ii，４９iii  取付受部
５  継手カバー
６，６II，６III  取付部材
６１  保持部
６２，６２ii，６２iii  取付部
７，７II〜７VII  保持具
８  下地面
【図１】
0005896205.tif 000002
【図２】
0005896205.tif 000003
【図３】
0005896205.tif 000004
【図４】
0005896205.tif 000005
【図５】
0005896205.tif 000006
【図６】
0005896205.tif 000007
【図７】
0005896205.tif 000008
【図８】
0005896205.tif 000009